(57)【要約】【課題】かごが異常加速度で下降した際に、確実に引き上げ手段の連結部を引き上げることのできるエレベーター装置の提供。【解決手段】調速機の調速機プーリー４と、調速機プーリー４の対向位置に配置される張りプーリー５とを有し、かご３が異常加速度で下降した際、かご３の下降速度と調速機ロープ６の移動速度との差異により連結部７ａがかご３に対して相対的に引き上げられ、これに応じて引き上げ部７ｂにより非常止め装置９を動作させるエレベーター装置において、張りプーリー５と同一軸に設けられるタイミングベルト用プーリー１０と、タイミングベルト用プーリー１０の対向位置に配置されるタイミングベルト用張りプーリー１１と、これらのタイミングベルト用プーリー１０とタイミングベルト用張りプーリー１１との間に無端状に掛けられるタイミングベルト１２と、調速機ロープ６とタイミングベルト１２とを連結する連結体１３とを設けたものである。【選択図】  図１
2013193877.tif 000002
【特許請求の範囲】
【請求項１】
昇降路に配置される調速機の調速機プーリーと、この調速機プーリーの対向位置に配置される張りプーリーと、これらのプーリー間に無端状に掛けられる調速機ロープと、連結部が前記調速機ロープに固定されると共に、引き上げ部でかごに搭載されている非常止め装置を動作させる引き上げ手段とを有し、前記かごが異常加速度で下降すると、前記かごの下降速度と前記調速機ロープの移動速度との差異により前記連結部が前記かごに対して相対的に引き上げられ、これに応じて引き上げ部により非常止め装置を動作させるエレベーター装置において、
前記張りプーリーと同一軸で同一回転する様に設けられるタイミングベルト用プーリーと、このタイミングベルト用プーリーの対向位置に配置されるタイミングベルト用張りプーリーと、これらのタイミングベルト用プーリーとタイミングベルト用張りプーリーとの間に無端状に掛けられるタイミングベルトと、前記調速機ロープと前記タイミングベルトとを連結する連結体とを設けたことを特徴とするエレベーター装置。
【発明の詳細な説明】
【技術分野】
【０００１】
本発明は、かごが通常の加速度を超えて降下したときに、かごを非常停止する調速機を備えたエレベーター装置に関する。
【背景技術】
【０００２】
エレベーター装置には、一般に、かごの昇降速度を常時監視し、かごが所定の過速状態に陥った際にかごを非常停止させる調速機が備えられている。
【０００３】
具体的には、調速機は、かごの昇降速度が定格速度を超えて第１過速度（通常は定格速度の１.３倍を超えない速度）に達すると、かごを駆動する巻上機の電源及びこの巻上機を制御する制御装置の電源をそれぞれ遮断することにより、かごを安全に停止させる。
【０００４】
また、調速機は、何らかの原因によりかごの下降速度が第１過速度を超えて第２過速度（通常は定格速度の１.４倍を超えない速度）に達すると、かごに設けられた非常止め装置を動作させて、かごを機械的に非常停止させる。
【０００５】
従来、この種のものとして、調速機の調速機プーリーと、この調速機プーリーの対向位置に配置される張りプーリーと、これらのプーリー間に無端状に掛けられる調速機ロープと、連結部が調速機ロープに固定されると共に、引き上げ部でかごに搭載されている非常止め装置を動作させる引き上げ手段とを有して構成され、かごが、例えばロープ破断により自由落下して第２過速度に達すると、調速機の調速機ロープ把持機構により調速機ロープの動きを止めることで、調速機ロープに固定された連結部がかごに対して相対的に引き上げられ、これに応じて引き上げ部により非常止め装置を動作させ、かごを非常停止させるものがある。
【０００６】
本構成によると、第２過速度となった後に調速機ロープ把持機構が動作するため、調速機ロープ把持機構に動作遅れが発生した場合、非常止め装置を動作させるまでに、かごが増速するといった懸念があり、このため、調速機プーリーおよび張りプーリーのうちの少なくとも一方の回転慣性質量を大きくする（例えば、特許文献１参照）ことで、かごが異常加速度で下降した際に、かごの下降速度と調速機ロープの移動速度に差異を生じさせ、調速機ロープと調速機プーリー若しくは、張りプーリーの回転慣性質量を大きくした側のプーリーとの摩擦力により、調速機ロープに固定された連結部がかごに対して相対的に引き上げられ、これに応じて引き上げ部により非常止め装置を動作させ、かごを非常停止させるものが考えられる。
【先行技術文献】
【特許文献】
【０００７】
【特許文献１】特開平５−２１３５５６号公報
【発明の概要】
【発明が解決しようとする課題】
【０００８】
しかしながら、前述した従来のものでは、調速機ロープは単に調速機プーリーと張りプーリーとの間に掛けられるものであり、調速機プーリー若しくは張りプーリーの回転慣性質量を大きくすると、かごが異常下降した際、調速機ロープは回転慣性質量を大きくした側のプーリー上を滑ってしまい、かごの下降速度と調速機ロープの移動速度とに十分な差異が生じず、したがって、連結部が引き上げられず、非常止め装置が動作しないという虞があった。
【０００９】
本発明は、前述した従来技術における実状からなされたもので、その目的は、かごが異常加速度で下降したことに応じて確実に引き上げ手段の連結部を引き上げることのできるエレベーター装置を提供することにある。
【課題を解決するための手段】
【００１０】
前記目的を達成するために、本発明は、昇降路に配置される調速機の調速機プーリーと、この調速機プーリーの対向位置に配置される張りプーリーと、これらのプーリー間に無端状に掛けられる調速機ロープと、連結部が前記調速機ロープに固定されると共に、引き上げ部によりかごに搭載されている非常止め装置を動作させる引き上げ手段とを有し、前記かごが異常加速度で下降した際、前記かごの下降速度と前記調速機ロープの移動速度との差異により前記連結部が前記かごに対して相対的に引き上げられ、これに応じて引き上げ部により非常止め装置を動作させるエレベーター装置において、前記張りプーリーと同一軸で同一回転するタイミングベルト用プーリーと、このタイミングベルト用プーリーの対向位置に配置されるタイミングベルト用張りプーリーと、これらのタイミングベルト用プーリーとタイミングベルト用張りプーリーとの間に無端状に掛けられるタイミングベルトと、前記調速機ロープと前記タイミングベルトとを連結する連結体とを設けたことを特徴としている。
【発明の効果】
【００１１】
本発明によれば、かごが異常加速度で降下したことに応じて確実に引き上げ手段の連結部を引き上げることができ、これによって、必要時に非常止め装置を的確に作動させてかごを非常停止させることができ、安全性の向上を図ることができる。
【図面の簡単な説明】
【００１２】
【図１】本発明に係るエレベーター装置の通常昇降時の一実施例を示す正面図である。
【図２】本発明に係るエレベーター装置の過速下降時の一実施例を示す正面図である。
【発明を実施するための形態】
【００１３】
以下、本発明に係るエレベーター装置の実施例を図に基づき説明する。
【００１４】
本実施例のエレベーター装置は、図１に示すように、昇降路１にメインロープ２により垂下され、昇降路１を昇降するかご３と、昇降路１の上部に配置される調速機の調速機プーリー４と、昇降路１の下方にあって調速機プーリー４の対向位置に配置される張りプーリー５と、これらの調速機プーリー４と張りプーリー５との間に無端状に掛けられる調速機ロープ６と、連結部７ａが調速機ロープ６に固定されると共に、引き上げ部７ｂでかご３に搭載されている非常止め装置９を動作させる引き上げ手段７と、張りプーリー５と軸８を介して同一軸に設けられ、張りプーリー５と同一回転する様に張りプーリー５と締結されるタイミングベルト用プーリー１０と追加回転慣性質量体１４、昇降路１の上方にあってタイミングベルト用プーリー１０の対向位置に配置されるタイミングベルト用張りプーリー１１と、これらのタイミングベルト用プーリー１０とタイミングベルト用張りプーリー１１との間に無端状に掛けられるタイミングベルト１２と、調速機ロープ６とタイミングベルト１２とを連結する連結体１３とを設けている。
【００１５】
本実施例にあっては、通常時、かご３が昇降すると、かご３と連結部７ａを介して連結された調速機ロープ６、及び調速機ロープ６と連結体１３を介して連結されたタイミングベルト１２は共に同期して移動する。
【００１６】
このとき、張りプーリー５と同一軸に設けられたタイミングベルト用プーリー１０にタイミングベルト１２は巻き掛けられ駆動し、この時、追加回転慣性質量体１４も同期して回転するため、調速機ロープ６が巻き掛けられる張りプーリー５の回転慣性質量は大きくなっているが、かご３が定格加速度で昇降しているときは、かご３の昇降に応じて、調速機ロープ６及びタイミングベルト１２が同期して移動可能な回転慣性質量に設定されている。
【００１７】
ところで、何らかの理由により、かご３の昇降速度が定格速度を超えて第１過速度に達したことを調速機が検知すると、かご３を駆動する図示しない巻上機の電源及びこの巻上機を制御する制御装置の電源をそれぞれ遮断することにより、かご３を停止させる。
【００１８】
なお、かご３が第１過速度（通常は定格速度の１.３倍を超えない速度）に達したことを検知する調速機の構造は公知のものであるため、ここでは詳細な説明を省略する。
【００１９】
一方、例えばメインロープ２が遮断され、かご３が自由落下した際の過速度が発生すると、張りプーリー５、タイミングベルト用プーリー１０および追加回転慣性質量体１４の回転慣性質量により、かご３の下降速度と調速機ロープ６の移動速度とに差異が生じる。
【００２０】
特に、本実施例では、張りプーリー５と同一軸に設けられたタイミングベルト用プーリー１０にタイミングベルト１２を巻き掛けて駆動することにより、調速機ロープ６と張りプーリー５間の摩擦力に加え、タイミングベルト用プーリー１０とタイミングベルト１２の歯のせん断力により、張りプーリー５上を調速機ロープ６が滑ることを防止した。
【００２１】
そして、発生する速度差により、図２に示すように、調速機ロープ６に固定された連結部７ａがかご３に対して相対的に引き上げられ、これに応じて引き上げ部７ｂにより非常止め装置９を動作させ、かご３を非常停止させる。
【００２２】
本実施例によれば、かご３が異常過速度で降下したことに応じて確実に引き上げ手段７の連結部７ａを引き上げることができ、これによって、必要時に非常止め装置９を的確に作動させてかご３を非常停止させることができ、安全性の向上を図ることができる。
【００２３】
また、本実施例によるものでは、第２過速度となる前であっても、かご３の異常過速に応じて、非常止め装置９を作動させることが可能であるため、昇降行程の短いエレベーターや、例えば、ダブルデッキエレベーターの内部に設置される２つの内かごを駆動可能とした、ダブルデッキエレベーターの内かご用の装置としても適用することができる。
【符号の説明】
【００２４】
１  昇降路
２  メインロープ
３  かご
４  調速機プーリー
５  張りプーリー
６  調速機ロープ
７  引き上げ手段
７ａ  連結部
７ｂ  引き上げ部
８  軸
９  非常止め装置
１０  タイミングベルト用プーリー
１１  タイミングベルト用張りプーリー
１２  タイミングベルト
１３  連結体
１４  追加回転慣性質量体
【図１】
2013193877.tif 000003
【図２】
2013193877.tif 000004